(57)【特許請求の範囲】
【請求項１】
固定板と、
前記固定板に上端が固定された複数の伸縮部と、
前記複数の伸縮部の下端にそれぞれ固定された複数のコンタクトプローブと、
複数の固定部と、
を備え、
各固定部は、固定状態では前記複数のコンタクトプローブのうち対応するコンタクトプローブの上端を、前記コンタクトプローブが固定された伸縮部が伸びて前記伸縮部によって前記固定板に向かって引っ張られた状態で第１位置に固定し、開放状態では前記コンタクトプローブを固定せず、
前記固定部が前記固定状態から前記開放状態に切り替わると、前記伸縮部は縮み、前記コンタクトプローブは、前記伸縮部によって前記固定板に向かって引っ張られ、前記コンタクトプローブの上端は、前記第１位置よりも前記固定板に近い第２位置に配置されることを特徴とする検査装置。
【請求項２】
前記複数のコンタクトプローブは伸縮性を有し、
上端が前記第１位置に固定され、縮んだ状態の前記複数のコンタクトプローブの下端は、上端が前記第２位置に配置され、伸びた状態の前記複数のコンタクトプローブの下端よりも下方に配置されることを特徴とする請求項１に記載の検査装置。
【請求項３】
前記複数のコンタクトプローブの下方に配置された下治具と、
前記複数のコンタクトプローブの各々と前記下治具との間の電流電圧特性を測定する測定回路と、
を備えることを特徴とする請求項１または２に記載の検査装置。
【請求項４】
前記複数のコンタクトプローブのうち１つは基準プローブであり、
前記基準プローブと、前記基準プローブ以外の前記複数のコンタクトプローブの各々との間の電流電圧特性を測定する測定回路を備えることを特徴とする請求項１または２に記載の検査装置。
【請求項５】
前記複数の固定部の各々を前記固定状態から前記開放状態に切り替える制御部を備えることを特徴とする請求項１〜４の何れか１項に記載の検査装置。
【請求項６】
前記複数の固定部の各々を前記固定状態から前記開放状態に切り替える制御部を備え、
前記制御部は、前記電流電圧特性に応じて、前記複数の固定部のうち前記固定状態から前記開放状態に切り替える固定部を選択することを特徴とする請求項３または４に記載の検査装置。
【請求項７】
前記制御部は、前記電流電圧特性を記憶し、記憶された前記電流電圧特性を読み出して、前記複数の固定部のうち前記固定状態から前記開放状態に切り替える固定部を選択することを特徴とする請求項６に記載の検査装置。
【請求項８】
前記複数の伸縮部はゴムで形成されることを特徴とする請求項１〜７の何れか１項に記載の検査装置。
【請求項９】
前記複数の伸縮部は導電性を有することを特徴とする請求項１〜７の何れか１項に記載の検査装置。
【請求項１０】
前記下治具は、スプリングプローブまたはワイヤプローブを備えることを特徴とする請求項３記載の検査装置。
【請求項１１】
固定板と、
前記固定板に上端が固定された複数の伸縮部と、
前記複数の伸縮部の下端にそれぞれ固定された複数のコンタクトプローブと、
複数の固定部と、
検査対象が搭載された下治具と、
を備え、
各固定部は、固定状態では前記複数のコンタクトプローブのうち対応するコンタクトプローブの上端を、前記コンタクトプローブが固定された伸縮部が伸びて前記伸縮部によって前記固定板に向かって引っ張られた状態で第１位置に固定し、開放状態では前記コンタクトプローブを固定しない検査装置を準備する工程と、
前記複数の固定部を前記固定状態にする固定工程と、
前記固定工程の後に、前記複数のコンタクトプローブの少なくとも１つを前記検査対象と接触させる接触工程と、
前記複数のコンタクトプローブの少なくとも１つを前記検査対象に接触させた状態で、前記複数のコンタクトプローブの各々と前記下治具との間の電流電圧特性を測定する測定工程と、
前記電流電圧特性に応じて、前記複数の固定部のうち前記固定状態から前記開放状態に切り替える固定部を選択し、前記選択された固定部を前記固定状態から前記開放状態に切り替える切り替え工程と、
前記切り替え工程の後に、前記複数のコンタクトプローブのうち対応する固定部が前記固定状態のコンタクトプローブを前記検査対象に接触させ、検査を行う検査工程と、
を備え、
前記固定部が前記固定状態から前記開放状態に切り替わると、前記伸縮部は縮み、前記コンタクトプローブは、前記伸縮部によって前記固定板に向かって引っ張られ、前記コンタクトプローブの上端は、前記第１位置よりも前記固定板に近い第２位置に配置され、
上端が前記第１位置に固定された前記コンタクトプローブは、弾性力を持って前記検査対象と接触し、
上端が前記第２位置に配置された前記コンタクトプローブは、前記検査対象と接触しないことを特徴とする検査方法。
【請求項１２】
前記切り替え工程では、前記複数のコンタクトプローブのうち前記電流電圧特性からショート状態またはオープン状態と判定されたコンタクトプローブに対応する固定部を前記開放状態に切り替えることを特徴とする請求項１１に記載の検査方法。
【請求項１３】
前記接触工程では、前記複数のコンタクトプローブの少なくとも１つは前記下治具と接触することを特徴とする請求項１１または１２に記載の検査方法。
【請求項１４】
固定板と、
前記固定板に上端が固定された複数の伸縮部と、
前記複数の伸縮部の下端にそれぞれ固定された複数のコンタクトプローブと、
複数の固定部と、
を備え、
各固定部は、固定状態では前記複数のコンタクトプローブのうち対応するコンタクトプローブの上端を、前記コンタクトプローブが固定された伸縮部が伸びて前記伸縮部によって前記固定板に向かって引っ張られた状態で第１位置に固定し、開放状態では前記コンタクトプローブを固定しない検査装置を準備する工程と、
前記複数の固定部を前記固定状態にする固定工程と、
前記固定工程の後に、前記複数のコンタクトプローブの少なくとも１つを検査対象と接触させる接触工程と、
前記複数のコンタクトプローブから基準プローブを選択する工程と、
前記複数のコンタクトプローブの少なくとも１つを前記検査対象に接触させた状態で、前記基準プローブと、前記基準プローブ以外の前記複数のコンタクトプローブの各々との間の電流電圧特性を測定する測定工程と、
前記電流電圧特性に応じて、前記複数の固定部のうち前記固定状態から前記開放状態に切り替える固定部を選択し、前記選択された固定部を前記固定状態から前記開放状態に切り替える切り替え工程と、
前記切り替え工程の後に、前記複数のコンタクトプローブのうち対応する固定部が前記固定状態のコンタクトプローブを前記検査対象に接触させ、検査を行う検査工程と、
を備え、
前記固定部が前記固定状態から前記開放状態に切り替わると、前記伸縮部は縮み、前記コンタクトプローブは、前記伸縮部によって前記固定板に向かって引っ張られ、前記コンタクトプローブの上端は、前記第１位置よりも前記固定板に近い第２位置に配置され、
上端が前記第１位置に固定された前記コンタクトプローブは、弾性力を持って前記検査対象と接触し、
上端が前記第２位置に配置された前記コンタクトプローブは、前記検査対象と接触しないことを特徴とする検査方法。
【請求項１５】
前記切り替え工程では、前記複数のコンタクトプローブのうち前記電流電圧特性からオープン状態と判定されたコンタクトプローブに対応する固定部を前記開放状態に切り替えることを特徴とする請求項１４に記載の検査方法。
【請求項１６】
前記検査装置は前記検査対象が搭載された下治具を備え、
前記接触工程では、前記複数のコンタクトプローブの少なくとも１つは前記下治具と接触することを特徴とする請求項１４または１５に記載の検査方法。
【請求項１７】
前記検査工程の後に、前記複数の固定部を前記開放状態にする工程を備えることを特徴とする請求項１１〜１６の何れか１項に記載の検査方法。
【発明の詳細な説明】
【技術分野】
【０００１】  この発明は、電力半導体の検査装置および検査方法に関する。
【背景技術】
【０００２】  特許文献１には、半導体集積回路の検査に用いられる検査治具が開示されている。
【先行技術文献】
【特許文献】
【０００３】
【特許文献１】日本特開２０１０−２０９３６号公報
【発明の概要】
【発明が解決しようとする課題】
【０００４】  一般に、電力半導体装置の治具では、電流容量を確保するため、検査対象のチップレイアウトに合わせて治具を設計および製作する。このため、チップレイアウトの種類が増えると、治具の種類が増える。従って、治具の設計時間が長くなり、開発費用が高くなる。また、作製した治具は、保管および管理される必要がある。このため、治具の種類が増えると保管場所の確保が困難になる。また、治具の管理費用が増加する。【０００５】  本発明は上述の問題を解決するためになされたものであり、第１の目的は、複数の製品に共通して使用できる検査装置を得ることである。本発明の第２の目的は、複数の製品に共通して使用できる検査装置を用いた検査方法を得ることである。
【課題を解決するための手段】
【０００６】
本願の発明に係る検査装置は、固定板と、該固定板に上端が固定された複数の伸縮部と、該複数の伸縮部の下端にそれぞれ固定された複数のコンタクトプローブと、複数の固定部と、を備え、各固定部は、固定状態では該複数のコンタクトプローブのうち対応するコンタクトプローブの上端を、該コンタクトプローブが固定された伸縮部が伸びて該伸縮部によって該固定板に向かって引っ張られた状態で第１位置に固定し、開放状態では該コンタクトプローブを固定せず、該固定部が該固定状態から該開放状態に切り替わると、該伸縮部は縮み、該コンタクトプローブは、該伸縮部によって該固定板に向かって引っ張られ、該コンタクトプローブの上端は、該第１位置よりも該固定板に近い第２位置に配置される。
【０００７】
本願の発明に係る検査方法は、固定板と、該固定板に上端が固定された複数の伸縮部と、該複数の伸縮部の下端にそれぞれ固定された複数のコンタクトプローブと、複数の固定部と、検査対象が搭載された下治具と、を備え、各固定部は、固定状態では該複数のコンタクトプローブのうち対応するコンタクトプローブの上端を、該コンタクトプローブが固定された伸縮部が伸びて該伸縮部によって該固定板に向かって引っ張られた状態で第１位置に固定し、開放状態では該コンタクトプローブを固定しない検査装置を準備する工程と、該複数の固定部を該固定状態にする固定工程と、該固定工程の後に、該複数のコンタクトプローブの少なくとも１つを該検査対象と接触させる接触工程と、該複数のコンタクトプローブの少なくとも１つを該検査対象に接触させた状態で、該複数のコンタクトプローブの各々と該下治具との間の電流電圧特性を測定する測定工程と、該電流電圧特性に応じて、該複数の固定部のうち該固定状態から該開放状態に切り替える固定部を選択し、該選択された固定部を該固定状態から該開放状態に切り替える切り替え工程と、該切り替え工程の後に、該複数のコンタクトプローブのうち対応する固定部が該固定状態のコンタクトプローブを該検査対象に接触させ、検査を行う検査工程と、を備え、該固定部が該固定状態から該開放状態に切り替わると、該伸縮部は縮み、該コンタクトプローブは、該伸縮部によって該固定板に向かって引っ張られ、該コンタクトプローブの上端は、該第１位置よりも該固定板に近い第２位置に配置され、上端が該第１位置に固定された該コンタクトプローブは、弾性力を持って該検査対象と接触し、上端が該第２位置に配置された該コンタクトプローブは、該検査対象と接触しない。
本願の発明に係る検査方法は、固定板と、該固定板に上端が固定された複数の伸縮部と、該複数の伸縮部の下端にそれぞれ固定された複数のコンタクトプローブと、複数の固定部と、を備え、各固定部は、固定状態では該複数のコンタクトプローブのうち対応するコンタクトプローブの上端を、該コンタクトプローブが固定された伸縮部が伸びて該伸縮部によって該固定板に向かって引っ張られた状態で第１位置に固定し、開放状態では該コンタクトプローブを固定しない検査装置を準備する工程と、該複数の固定部を該固定状態にする固定工程と、該固定工程の後に、該複数のコンタクトプローブの少なくとも１つを検査対象と接触させる接触工程と、該複数のコンタクトプローブから基準プローブを選択する工程と、該複数のコンタクトプローブの少なくとも１つを該検査対象に接触させた状態で、該基準プローブと、該基準プローブ以外の該複数のコンタクトプローブの各々との間の電流電圧特性を測定する測定工程と、該電流電圧特性に応じて、該複数の固定部のうち該固定状態から該開放状態に切り替える固定部を選択し、該選択された固定部を該固定状態から該開放状態に切り替える切り替え工程と、該切り替え工程の後に、該複数のコンタクトプローブのうち対応する固定部が該固定状態のコンタクトプローブを該検査対象に接触させ、検査を行う検査工程と、を備え、該固定部が該固定状態から該開放状態に切り替わると、該伸縮部は縮み、該コンタクトプローブは、該伸縮部によって該固定板に向かって引っ張られ、該コンタクトプローブの上端は、該第１位置よりも該固定板に近い第２位置に配置され、上端が該第１位置に固定された該コンタクトプローブは、弾性力を持って該検査対象と接触し、上端が該第２位置に配置された該コンタクトプローブは、該検査対象と接触しない。
【発明の効果】
【０００８】  本願の発明に係る検査装置では、固定部および伸縮部によって各々のコンタクトプローブの上端を第１位置または第２位置に配置できる。検査に使用するコンタクトプローブの上端は、第１位置に固定される。また、検査に使用しないコンタクトプローブの上端は第２位置に配置される。従って、第１位置に固定するコンタクトプローブを選択することで検査装置を複数の製品に適用できる。【０００９】  本願の発明に係る検査方法では、コンタクトプローブの電流電圧特性から、検査に用いるコンタクトプローブを選択する。選択されたコンタクトプローブの上端は第１位置に固定される。また、検査に使用しないコンタクトプローブの上端は第２位置に配置される。第２位置において、コンタクトプローブは検査対象と接触しない。従って、検査装置を複数の製品に適用できる。
【図面の簡単な説明】
【００１０】
【図１】実施の形態１に係る検査装置の断面図である。
【図２】実施の形態１に係るコンタクトプローブの下面図である。
【図３】実施の形態１に係る検査方法を説明する図である。
【図４】実施の形態１に係る固定工程を説明する図である。
【図５】コンタクトプローブを検査対象と接触させた状態を示す図である。
【図６】実施の形態１に係る測定工程を説明する図である。
【図７】実施の形態１に係るコンタクトプローブの電流電圧特性を説明する図である。
【図８】切り替え工程の実施後の状態を示す図である。
【図９】ピン配置が設定された状態の検査装置を示す図である。
【図１０】実施の形態２に係る測定工程を説明する図である。
【図１１】実施の形態２に係るコンタクトプローブの電流電圧特性を説明する図である。
【図１２】実施の形態３に係る検査装置の初期状態を示す図である。
【図１３】実施の形態３に係る固定工程を説明する図である。
【図１４】実施の形態３に係る接触工程を説明する図である。
【図１５】実施の形態３に係る切り替え工程を説明する図である。
【図１６】ピン配置が設定された状態の検査装置を示す図である。
【発明を実施するための形態】
【００１１】  本発明の実施の形態に係る検査装置および検査方法について図面を参照して説明する。同じ又は対応する構成要素には同じ符号を付し、説明の繰り返しを省略する場合がある。
【００１２】実施の形態１．  図１は、実施の形態１に係る検査装置の断面図である。検査装置１０は、固定板２４を備える。固定板２４の裏面には、複数の伸縮部１１の一端が固定されている。本実施の形態では、伸縮部１１は金属から形成されたバネである。複数の伸縮部１１の他端には、それぞれコンタクトプローブ１９が固定されている。
【００１３】  各々のコンタクトプローブ１９は、プローブピン１５と保持部１３を備える。保持部１３はプローブピン１５の上部を保持および収納する。保持部１３の一端は、伸縮部１１に他端に固定されている。プローブピン１５の下部は保持部１３の他端から露出する。プローブピン１５の上部には図示しないバネが形成されている。プローブピン１５は固定板２４に向かって押圧されると、バネに起因する弾性力を持って保持部１３に押し込まれる。従って、複数のコンタクトプローブ１９は伸縮性を有する。検査時には、プローブピン１５の下端が、弾性力を持って検査対象と接触する。
【００１４】  固定板２４、伸縮部１１およびコンタクトプローブ１９は筐体２２に収納されている。複数のコンタクトプローブ１９は、枠部１４に保持されている。枠部１４の上部は筐体２２に収納される。また、枠部１４の下部は、筐体２２から露出している。各々のコンタクトプローブ１９は枠部１４にガイドされ、上下に動く。また、コンタクトプローブ１９の移動に伴い、対応する伸縮部１１は伸縮する。
【００１５】  本実施の形態において、伸縮部１１は導電性を有する。プローブピン１５と伸縮部１１は電気的に接続されている。固定板２４の裏面において、伸縮部１１の一端は、配線２０に接続される。配線２０は、制御部４０に接続される。制御部４０はテスタである。コンタクトプローブ１９の下方には下治具１７が配置される。下治具１７は、検査対象が搭載される部分である。下治具１７と制御部４０は配線２１によって接続されている。
【００１６】  本実施の形態では、伸縮部１１によってコンタクトプローブ１９と配線２０が導通する。このため、コンタクトプローブ１９と配線２０との間を電気接続するための部材を別に設ける必要が無い。従って、検査装置１０の構造を簡易化できる。これに対し、伸縮部１１はゴムで形成されても良い。この場合、伸縮部１１の耐久性を向上できる。また、この場合、伸縮部１１とは別にコンタクトプローブ１９と配線２０との間を電気接続するための部材を設ける。
【００１７】  また、図１において伸縮部１１は縮んだ状態である。複数のコンタクトプローブ１９には、それぞれ固定部１２が設けられる。固定部１２は、枠部１４の上に設けられる。固定部１２は、伸縮部１１を伸ばしコンタクトプローブ１９を図１に示す位置よりも下方に配置した状態で、コンタクトプローブ１９を固定するための部品である。各固定部１２は、それぞれ対応するコンタクトプローブ１９を固定する。また、固定部１２の各々は、配線４１によって制御部４０と接続されている。
【００１８】  図２は、実施の形態１に係るコンタクトプローブの下面図である。筐体２２の内部には、縦方向および横方向に６個のコンタクトプローブ１９が並んで配置されている。検査装置１０は３６個のコンタクトプローブ１９を備える。検査装置１０が備えるコンタクトプローブ１９の数はこれに限らない。また、本実施の形態では、縦方向および横方向に同数のコンタクトプローブ１９が配置されているが、縦方向および横方向に配置されるコンタクトプローブ１９の数は異なってもよい。
【００１９】  枠部１４は、隣り合うコンタクトプローブ１９の間およびコンタクトプローブ１９と筐体２２との間を埋めるように格子状に設けられる。また、本実施の形態では保持部１３は下面視において正方形である。保持部１３の形状はこれに限らず、下面視において長方形または円形でも良い。この場合、枠部１４には保持部１３の形状に合わせた開口が設けられるものとする。
【００２０】  次に、検査装置１０を用いた検査方法について説明する。図３は、実施の形態１に係る検査方法を説明する図である。図３において、下治具１７の上面には、検査対象１６が搭載されている。なお、図３において、制御部４０および配線２１、４１は省略されている。検査対象１６は、ＭＯＳＦＥＴ（Ｍｅｔａｌ−Ｏｘｉｄｅ−Ｓｅｍｉｃｏｎｄｕｃｔｏｒ  Ｆｉｅｌｄ−Ｅｆｆｅｃｔ  Ｔｒａｎｓｉｓｔｏｒ）である。検査対象１６は半導体装置であればこれ以外でも良い。
【００２１】  まず、検査装置１０を準備する。このとき、下治具１７の上に検査対象１６を配置し、検査対象１６の上方にコンタクトプローブ１９を配置する。この状態において、すべての伸縮部１１は縮んだ状態であり、全てのコンタクトプローブ１９は、筐体２２に収納されている。図３において、検査装置１０は初期状態である。
【００２２】  次に、固定工程を実施する。図４は、実施の形態１に係る固定工程を説明する図である。まず、全てのコンタクトプローブ１９を筐体２２の下方に引き出す。次に、引き出されたコンタクトプローブ１９の上端を、固定部１２によって第１位置に固定する。ここで、第１位置は、コンタクトプローブ１９の上端が枠部１４の上端と同じ高さとなる位置である。
【００２３】  各々の固定部１２は、各々のコンタクトプローブ１９の両側に設けられ、開閉する。各固定部１２は、固定状態と開放状態を切り替える。固定状態において、各々の固定部１２は対応するコンタクトプローブ１９に向かって閉じた状態である。ここで、固定状態において、コンタクトプローブ１９は、複数の伸縮部１１のうち対応する伸縮部１１によって固定板２４に向かって引っ張られている。固定状態において、コンタクトプローブ１９の上には固定部１２が配置される。このため、コンタクトプローブ１９の上端は第１位置に固定される。従って、各固定部１２は、固定状態において複数のコンタクトプローブ１９のうち対応するコンタクトプローブ１９の上端を第１位置に固定する。
【００２４】  また、開放状態において、固定部１２は開いた状態である。開放状態において、固定部１２は枠部１４の上に収納され、コンタクトプローブ１９の上には配置されない。従って、各固定部１２は、開放状態において対応するコンタクトプローブ１９を固定しない。コンタクトプローブ１９に設けられた固定部１２が開放状態の場合、コンタクトプローブ１９に接続された伸縮部１１が縮む。このため、コンタクトプローブ１９の上端は第２位置に配置される。第２位置は、第１位置よりも固定板２４に近い位置である。
【００２５】
なお、図１および図３では、全てのコンタクトプローブ１９は第２位置に配置されている。固定工程を実施することにより、全ての固定部１２は固定状態となる。また、固定部１２の構造はこれに限定されない。固定部１２は固定状態と開放状態が切り替わり、固定状態において対応するコンタクトプローブ１９の上端を第１位置に固定し、開放状態において対応するコンタクトプローブ１９を固定部１２から開放できれば良い。
【００２６】  本実施の形態では、各々のコンタクトプローブ１９の両側に固定部１２を設けた。これに対し、各々のコンタクトプローブ１９の片側のみに固定部１２を設けても良い。また、本実施の形態では、固定部１２はコンタクトプローブ１９の上端を固定するものとしたが、コンタクトプローブ１９の固定箇所は上端以外でも良い。
【００２７】  固定工程の後に、接触工程を実施する。接触工程では、コンタクトプローブ１９を検査対象１６と接触させる。図５は、コンタクトプローブを検査対象と接触させた状態を示す図である。本実施の形態では、検査対象１６の幅よりも、コンタクトプローブ１９が設けられる領域の幅が広い。このため、複数のコンタクトプローブ１９の少なくとも１つは下治具１７と接触する。
【００２８】  なお、コンタクトプローブ１９は伸縮性を有する。このため、複数のコンタクトプローブ１９は、上面の位置が異なる検査対象１６および下治具１７と同時に接触できる。プローブピン１５は、検査対象１６または下治具１７と接触することで、弾性力を持って保持部１３に押し込まれる。なお、図４および図５において、制御部４０および配線２０、２１、４１は省略されている。
【００２９】  次に、測定工程を実施する。図６は、実施の形態１に係る測定工程を説明する図である。本実施の形態に係る検査装置１０は、測定回路３２を備える。測定回路３２は、配線２０、電源３０および配線２１を備える。配線２０は、電源３０を介して配線２１に接続される。図６において、制御部４０は省略されている。電源３０は、制御部４０が備える電源であっても良い。測定回路３２は、複数のコンタクトプローブ１９の各々と下治具１７との間の電流電圧特性を測定する回路である。
【００３０】  本実施の形態に係る下治具１７は、複数のスプリングプローブを備える。複数のスプリングプローブは検査対象１６の裏面またはコンタクトプローブ１９と接触する。また、各々のスプリングプローブは、配線２１によって制御部４０と接続される。
【００３１】  測定工程では、複数のコンタクトプローブ１９を検査対象１６および下治具１７に接触させた状態で、複数のコンタクトプローブ１９の各々の電流電圧特性を測定する。これにより、複数のコンタクトプローブ１９の各々と下治具１７との間の電流電圧特性が測定される。ここで、検査対象１６の上面には電極部２６および絶縁膜２８が形成されている。電極部２６は例えばゲート電極、ドレイン電極、ソース電極またはＭＯＳＦＥＴに形成されたダイオードの電極を含む。複数のコンタクトプローブ１９の一部は、電極部２６と接触する。また、複数のコンタクトプローブ１９の一部は、絶縁膜２８と接触する。
【００３２】  図７は、実施の形態１に係るコンタクトプローブの電流電圧特性を説明する図である。図７は、各々のコンタクトプローブ１９と、下治具１７との間に電圧Ｖを印加した時に、コンタクトプローブ１９に流れる電流Ｉを測定した結果を示す。まず、下治具１７と接しているコンタクトプローブ１９の電流電圧測定について説明する。この場合、破線６１に示すように、コンタクトプローブ１９と下治具１７との間は低抵抗状態となる。次に、絶縁膜２８と接しているコンタクトプローブ１９の電流電圧測定について説明する。この場合、実線６２に示すようにコンタクトプローブ１９と下治具１７との間は高抵抗状態となる。
【００３３】  次に、コンタクトプローブ１９が電極部２６と接している場合について説明する。この場合、コンタクトプローブ１９と下治具１７はダイオード、電極部２６と下治具１７との間に配置される容量成分または抵抗成分を介して接続される。コンタクトプローブ１９と下治具１７が抵抗成分を介して接続される場合、破線６３に示すように、電流電圧特性は直線状になる。また、コンタクトプローブ１９と下治具１７がダイオードまたは容量成分を介して接続される場合、一点鎖線６４に示すように、電流電圧特性は下に凸の曲線状になる。
【００３４】  コンタクトプローブ１９が電極部２６と接している場合、コンタクトプローブ１９と下治具１７との間の抵抗値は、コンタクトプローブ１９と下治具１７が接している場合よりも大きい。また、コンタクトプローブ１９と下治具１７との間の抵抗値は、コンタクトプローブ１９と絶縁膜２８が接している場合よりも小さい。以上から、各々のコンタクトプローブ１９の電流電圧特性の違いから、各々のコンタクトプローブ１９の接触箇所が判別できる。ここで、電極部２６に接触するコンタクトプローブ１９が、検査対象１６の検査に使用されることとなるコンタクトプローブ１９である。
【００３５】  次に、切り替え工程を実施する。まず、電流電圧特性に応じて検査に用いるコンタクトプローブ１９を選択する。本実施の形態では、コンタクトプローブ１９に流れる電流Ｉに対して、コンタクトプローブ１９と下治具１７との間に印加される電圧Ｖに規格を設ける。本実施の形態では、基準となる電流Ｉに対して電圧Ｖが図７に示す領域Ａにあるコンタクトプローブ１９が、検査において使用されることとなる。また、電圧Ｖが領域Ｂにあるコンタクトプローブ１９は検査において使用されない。切り替え工程では、各々のコンタクトプローブ１９を領域Ａまたは領域Ｂに振り分ける。
【００３６】  領域Ａよりも電圧Ｖが低いコンタクトプローブ１９は、ショート状態と判定される。下治具１７と接しているコンタクトプローブ１９はショート状態と判定される。また、領域Ａよりも電圧Ｖが高いコンタクトプローブ１９は、オープン状態と判定される。絶縁膜２８と接しているコンタクトプローブ１９はオープン状態と判定される。本実施の形態では、オープン状態と判定される閾値は１００Ｖである。
【００３７】  本実施の形態では、電流電圧特性を得るために、各々のコンタクトプローブ１９と下治具１７との間に電圧Ｖを印加して、コンタクトプローブ１９に流れる電流Ｉを測定した。これに対し、各々のコンタクトプローブ１９と下治具１７との間に電流Ｉを流した状態で、コンタクトプローブ１９と下治具１７との間の電圧Ｖを測定しても良い。
【００３８】  また、本実施の形態では、基準となる電流値に対してコンタクトプローブ１９と下治具１７との間に印加される電圧Ｖの範囲に規格を設けた。これに対し、基準となる電圧値に対してコンタクトプローブ１９に流れる電流Ｉの範囲に規格を設けても良い。
【００３９】  次に、複数のコンタクトプローブ１９のうち、電流電圧特性からショート状態またはオープン状態と判定されたコンタクトプローブ１９に設けられた固定部１２を開放状態に切り替える。つまり、領域Ｂに振り分けられたコンタクトプローブ１９に設けられた固定部１２を開放状態にする。
【００４０】  図８は、切り替え工程の実施後の状態を示す図である。切り替え工程では、電流電圧特性に応じて、複数の固定部１２のうち固定状態から開放状態に切り替える固定部１２が選択される。選択された固定部１２は固定状態から開放状態に切り替えられる。この結果、開放状態となった固定部１２に対応するコンタクトプローブ１９は、伸縮部１１に引っ張られ、第２位置に配置される。従って、検査で使用されないコンタクトプローブ１９は筐体２２に収納される。以上から、検査装置１０は、チップレイアウトに応じたピン配置に設定される。なお、図８において、制御部４０および配線２０、２１、４１は省略されている。
【００４１】  図９は、ピン配置が設定された状態の検査装置を示す図である。固定部１２の固定状態から開放状態への切り替えは、制御部４０によって行われる。測定工程において、制御部４０は、各々のコンタクトプローブ１９と下治具１７との間の電流電圧特性を測定する。切り替え工程において、制御部４０は測定工程において得られた電流電圧特性に応じて、複数の固定部１２のうち固定状態から開放状態に切り替える固定部１２を選択する。
【００４２】  制御部４０と各々の固定部１２は配線４１を介して接続されている。制御部４０は、選択された固定部１２に向けて配線４１を介し、固定状態から開放状態に切り替える信号を発する。この信号に応じて、固定部１２は固定状態から開放状態に切り替わる。以上から、制御部４０は、電流電圧特性に応じて選択された固定部１２を固定状態から開放状態に切り替える。これにより、測定工程および切り替え工程を自動で実施できる。
【００４３】  また、制御部４０は、制御部４０に設けられた記憶装置にチップレイアウト毎の電流電圧特性を記憶する。制御部４０は、各々のコンタクトプローブ１９が領域Ａおよび領域Ｂのどちらに振り分けられたかを記憶する。また、制御部４０は、オープン状態またはショート状態と判定されたコンタクトプローブ１９を記憶するものとしても良い。以上の制御部４０の動作は、制御部４０として既存のテスタを用いることで実施可能である。なお、固定部１２の固定状態から開放状態への切り替えは、手動で行っても良い。
【００４４】  次に検査工程を実施する。検査工程では、複数のコンタクトプローブ１９を検査対象１６に接触させ、検査を行う。ここで、固定部１２が固定状態のコンタクトプローブ１９の上端は、第１位置に固定される。固定部１２が開放状態のコンタクトプローブ１９の上端は、第２位置に配置される。第１位置は、第２位置よりも検査対象１６に近い。このため、固定部１２により第１位置に固定されたコンタクトプローブ１９のみが検査対象１６と接触する。
【００４５】  また、コンタクトプローブ１９は伸縮性を有する。検査対象１６との接触によって、プローブピン１５の下端は弾性力を持って検査対象１６と接触する。このとき、プローブピン１５は保持部１３に押し込まれる。従って、検査対象１６との接触により、コンタクトプローブ１９は縮む。図８に示すように、上端が第１位置に固定され、縮んだ状態のコンタクトプローブ１９の下端は、上端が第２位置に配置され伸びた状態のコンタクトプローブ１９の下端よりも下方に配置されるものとする。これにより、複数のコンタクトプローブ１９のうち、上端が第１位置に固定されたコンタクトプローブ１９のみが検査対象と接触する。また、上端が第２位置に配置されたコンタクトプローブ１９は、検査対象１６と接触しない。
【００４６】  検査工程の終了後に、すべての固定部１２は開放状態に設定される。これにより、検査装置１０は初期状態に戻る。従って、検査対象１６と異なるレイアウトの製品に対して、検査装置１０を繰り返し使用出来る。
【００４７】  再び検査対象１６を検査する際には、固定工程の実施後に、制御部４０は記憶された電流電圧特性を読み出す。記憶された電流電圧特性に応じて、制御部４０は、複数の固定部１２のうち固定状態から開放状態に切り替える固定部１２を選択する。これにより、２回目以降の検査時には、電流電圧特性を読み込むことでピン配置を変更できる。よって、２回目以降の検査時には、検査の準備が容易になる。
【００４８】  本実施の形態に係る検査装置１０では、各々のコンタクトプローブ１９の上端を第１位置または第２位置に配置できる。従って、１つの検査装置１０で複数のピン配置を実現できる。ピン配置の変更により、検査装置１０を複数の製品の検査に共通して使用できる。検査装置１０の共通化により、製品毎に治具を開発する必要がなくなる。従って、開発コストを削減できる。また、製品のチップレイアウトが変更されても、治具を作り変える必要が無い。このため、製品の開発工期を短縮できる。また、治具の種類を減らすことができるため、治具の管理費用を削減できる。
【００４９】  また、下治具１７が備えるスプリングプローブのピンサイズを調整することで、検査装置１０を高電流密度の測定に対応させることができる。ワイドギャップ半導体の検査では、高電流密度チップテストが要求される。従って、本実施の形態に係る検査装置１０は、ワイドギャップ半導体から形成される検査対象１６を検査できる。ここで、ワイドギャップ半導体は、ＳｉＣまたはＧａＮ等である。
【００５０】  また、下治具１７が備えるスプリングプローブのピンサイズを調整することで、検査対象１６のチップレイアウトへの柔軟な対応が可能となる。本実施の形態では、下治具１７は複数のスプリングプローブを備えるものとした。これに対し、下治具１７は複数のワイヤプローブを備えるものとしても良い。また、下治具１７は、各々のコンタクトプローブ１９との間の電流電圧特性を測定できれば、別の構成でもよい。
【００５１】  これらの変形は以下の実施の形態に係る検査装置および検査方法について適宜応用することができる。なお、以下の実施の形態に係る検査装置および検査方法については実施の形態１との共通点が多いので、実施の形態１との相違点を中心に説明する。
【００５２】実施の形態２．  図１０は、実施の形態２に係る測定工程を説明する図である。本実施の形態に係る検査装置１１０は、測定回路１３２の構造が実施の形態１と異なる。それ以外は、実施の形態１と同様である。測定回路１３２は、配線１２０および電源３０を備える。図１０において、制御部４０は省略されている。電源３０は、制御部４０が備える電源であっても良い。
【００５３】  本実施の形態では、複数のコンタクトプローブ１９のうち１つは基準プローブ１５０である。基準プローブ１５０は、電極部２６に接触しているコンタクトプローブ１９から選択される。本実施の形態では、ＭＯＳＦＥＴのゲート電極と接触するコンタクトプローブ１９を基準プローブ１５０とする。測定回路１３２は、基準プローブ１５０と、基準プローブ１５０以外のコンタクトプローブ１９の各々との間の電流電圧特性を測定する回路である。配線１２０は、基準プローブ１５０以外のコンタクトプローブ１９とグランドを接続する。基準プローブ１５０は、電源３０を介してグランドに接続される。
【００５４】
次に、検査装置１１０を用いた検査方法について説明する。本実施の形態に係る検査方法は、測定工程および切り替え工程が実施の形態１と異なる。まず、測定工程に先んじて、複数のコンタクトプローブ１９から基準プローブ１５０を選択する。本実施の形態では、複数のコンタクトプローブ１９を検査対象１６に接触させた状態において、ゲート電極と接触しているコンタクトプローブ１９を基準プローブ１５０に設定する。
【００５５】  測定工程では、基準プローブ１５０と、基準プローブ１５０以外の複数のコンタクトプローブ１９の各々との間の電流電圧特性を測定する。図１１は、実施の形態２に係るコンタクトプローブの電流電圧特性を説明する図である。図１１は、基準プローブ１５０と、基準プローブ１５０以外のコンタクトプローブ１９の各々との間に電圧Ｖを印加した時に、基準プローブ１５０に流れる電流Ｉを測定した結果を示す。
【００５６】  まず、下治具１７と接しているコンタクトプローブ１９の電流電圧測定について説明する。この場合、実線６６に示すようにコンタクトプローブ１９と基準プローブ１５０との間は高抵抗状態となる。次に、絶縁膜２８と接しているコンタクトプローブ１９の電流電圧測定について説明する。この場合、実線６６に示すようにコンタクトプローブ１９と基準プローブ１５０との間は高抵抗状態となる。
【００５７】  次に、電極部２６と接しているコンタクトプローブ１９の電流電圧測定について説明する。コンタクトプローブ１９が、基準プローブ１５０と接するゲート電極と同じゲート電極に接している場合、破線６５に示すようにコンタクトプローブ１９と基準プローブ１５０との間は低抵抗状態となる。
【００５８】  また、コンタクトプローブ１９が、ＭＯＳＦＥＴに形成されたダイオードの電極に接する場合がある。この場合、一点鎖線６７に示すように、コンタクトプローブ１９と基準プローブ１５０との間の抵抗値は、コンタクトプローブ１９が基準プローブ１５０と同じゲート電極と接している場合よりも高抵抗となる。また、コンタクトプローブ１９と基準プローブ１５０との間の抵抗値は、コンタクトプローブ１９が絶縁膜２８と接している場合よりも低抵抗となる。
【００５９】  また、点線６８は、本実施の形態の変形例として基準プローブ１５０がドレイン電極に接触し、測定対象となるコンタクトプローブ１９がゲート電極に接触した場合の電流電圧特性を示す。この場合、数十ＶでＭＯＳＦＥＴは降伏状態となる。以上から、各々のコンタクトプローブ１９の電流電圧特性の違いから、各々のコンタクトプローブ１９の接触箇所が判別できる。
【００６０】  次に、切り替え工程を実施する。本実施の形態では、基準プローブ１５０に流れる電流Ｉに対して、コンタクトプローブ１９と基準プローブ１５０との間に印加される電圧Ｖに規格を設ける。本実施の形態では、基準となる電流Ｉに対して電圧Ｖが図１１に示す領域Ａにあるコンタクトプローブ１９が、検査において使用されることとなる。また、電圧Ｖが領域Ｂにあるコンタクトプローブ１９は検査において使用されない。
【００６１】  領域Ａよりも電圧Ｖが高いコンタクトプローブ１９は、オープン状態と判定される。絶縁膜２８または下治具１７と接しているコンタクトプローブ１９はオープン状態と判定される。本実施の形態では、オープン状態と判定される閾値は１００Ｖである。電極部２６と接触するコンタクトプローブ１９は領域Ａに振り分けられる。次に、複数のコンタクトプローブ１９のうち電流電圧特性からオープン状態と判定されたコンタクトプローブ１９に設けられた固定部１２を開放状態に切り替える。
【００６２】  本実施の形態に係る測定工程では、下治具１７とコンタクトプローブ１９との間の測定が必要ない。このため、下治具１７はスプリングプローブまたはワイヤプローブを備える必要がない。従って、下治具１７を簡易化できる。
【００６３】実施の形態３．  図１２〜図１６は、実施の形態３に係る検査方法を説明する図である。本実施の形態では、検査対象２１６の幅が、コンタクトプローブ１９が設けられる領域の幅よりも広い。それ以外は、実施の形態１と同様である。本実施の形態では、複数のコンタクトプローブ１９は下治具１７と接触しない。この場合の検査方法について説明する。図１２は、実施の形態３に係る検査装置の初期状態を示す図である。なお、図１２において制御部４０および配線２１、４１は省略されている。
【００６４】  図１３は、実施の形態３に係る固定工程を説明する図である。固定工程は、実施の形態１と同様である。図１４は、実施の形態３に係る接触工程を説明する図である。接触工程において、複数のコンタクトプローブ１９の一部は絶縁膜２２８と接触する。また、複数のコンタクトプローブ１９の一部は電極部２２６と接触する。次に、測定工程を実施する。測定工程は実施の形態１と同様である。ただし、本実施の形態では、コンタクトプローブ１９は下治具１７と接触しない。このため、ショート状態は発生しない。
【００６５】  次に、切り替え工程を実施する。図１５は、実施の形態３に係る切り替え工程を説明する図である。切り替え工程では、測定工程で得られた電流電圧特性に応じて、Ｂ領域に振り分けられたコンタクトプローブ１９の固定部１２を開放状態にする。以上から、検査装置１０は、チップレイアウトに応じたピン配置に設定される。図１６は、ピン配置が設定された状態の検査装置を示す図である。なお、図１３〜図１６において制御部４０および配線２０、２１、４１は省略されている。
【００６６】  なお、各実施の形態で説明した技術的特徴は適宜に組み合わせて用いてもよい。
【符号の説明】
【００６７】  １０、１１０  検査装置、  ２４  固定板、  １１  伸縮部、  １９  コンタクトプローブ、  １２  固定部、  １７  下治具、  ３２、１３２  測定回路、  １５０  基準プローブ、  ４０  制御部、  １６、２１６  検査対象
【図１】
0006702426.tif 000002
【図２】
0006702426.tif 000003
【図３】
0006702426.tif 000004
【図４】
0006702426.tif 000005
【図５】
0006702426.tif 000006
【図６】
0006702426.tif 000007
【図７】
0006702426.tif 000008
【図８】
0006702426.tif 000009
【図９】
0006702426.tif 000010
【図１０】
0006702426.tif 000011
【図１１】
0006702426.tif 000012
【図１２】
0006702426.tif 000013
【図１３】
0006702426.tif 000014
【図１４】
0006702426.tif 000015
【図１５】
0006702426.tif 000016
【図１６】
0006702426.tif 000017